(57)【要約】【課題】  保温性が高く、肌触りに優れ、しかも生地が可及的に薄いインナーウェアを提供する。【解決手段】  保温性組織２２は、一重の地編組織２３の裏面側に突出させた畝部２４,２４，…にて六角形状に囲んでなる複数のエアセル２５,２５，…をハニカム構造状に設けて構成しており、各エアセル２５,２５，…内には周囲の気体が蓄えられるようになっている。【選択図】  図４
2010265568.tif 000002
【特許請求の範囲】
【請求項１】
外気から着用者を保温する保温性組織を編成してなるインナーウェアにおいて、
前記保温性組織は、一重の地編組織と、該地編組織の裏面側に複数の環状の畝部を突出させてなり、周囲の気体を蓄えることができる複数のエアセルとを備えることを特徴とするインナーウェア。
【請求項２】
前記各エアセルはハニカム構造状になしてある請求項１記載のインナーウェア。
【請求項３】
前記地編組織にはメッシュが形成してある請求項１又は２記載のインナーウェア。
【発明の詳細な説明】
【技術分野】
【０００１】
本発明は、ガードル、ボディスーツ及びスパッツ等のインナーウェアに関する。
【背景技術】
【０００２】
ガードル、ボディスーツ及びスパッツ等のインナーウェアにあっては、保温性が高く、肌触りに優れた製品の開発が要求されている。
【０００３】
例えば、後記する特許文献１にはつぎのような下着が開示されている。
【０００４】
すなわち、当該下着は、第１糸で編成された裏面と第２糸で編成された表面との間を充填糸で繋ぎ合わせてなる二重構造のダブルラッシェル編成組織によって構成されており、該下着の着用者の肌に接する裏面に、複数条の畝状の凹凸が縦方向へ延設してある。
【０００５】
このような下着にあっては、ダブルラッシェル編成組織によって構成してあるため保温性が高く、また発汗による湿気が畝状の凹部を通って下着の上方から外へ排気されるため、蒸れが軽減され、サラサラした肌触りが保たれる。
【先行技術文献】
【特許文献】
【０００６】
【特許文献１】特開２００１−８１６０７号公報
【発明の概要】
【発明が解決しようとする課題】
【０００７】
しかしながら、このような従来のインナーウェアにあっては、前述したようにダブルラッシェル編成組織によって構成してあるため生地が厚く、インナーウェアの上に着用したアウターウェアの表面に当該インナーウェアが響いてしまうという問題があった。また、従来のインナーウェアは生地が厚いため、外気温が比較的高い季節にあっては汗をかき易く、着用するには不向きであった。
【０００８】
本発明は、斯かる事情に鑑みてなされたものであって、保温性が高く、肌触りに優れ、しかも生地が可及的に薄いインナーウェアを提供する。
【課題を解決するための手段】
【０００９】
（１）本発明に係るインナーウェアは、外気から着用者を保温する保温性組織を編成してなるインナーウェアにおいて、前記保温性組織は、一重の地編組織と、該地編組織の裏面側に複数の環状の畝部を突出させてなり、周囲の気体を蓄えることができる複数のエアセルとを備えることを特徴とする。
【００１０】
本発明のインナーウェアにあっては、外気から着用者を保温する保温性組織を編成してなり、該保温性組織は、一重の地編組織と、この地編組織の裏面側に複数の環状の畝部を突出させてなり、周囲の気体を蓄えることができる複数のエアセルとを備える。
【００１１】
このように、保温性組織は、地編組織の裏面側、即ち着用者の肌に接する面側に、周囲の気体を蓄えることができる複数のエアセルが突設してあるため、各エアセル内に蓄えられた空気の層によって外界からの熱の伝導が抑制される一方、各エアセル内の空気が着用者から放出される熱を蓄えるため、高い保温効果を奏する。
【００１２】
一方、着用者の肌に接触する部分は主に、裏面に突出したエアセルを構成する畝部であるので、着用者の肌への接触面積が狭く、従って着用者が発汗した場合であっても、着用者にサラサラ感を与える。
【００１３】
ところで、保温性組織の大部分の領域は一重に編成された地編組織によって構成されているため、保温性組織の厚さ寸法の増大を可及的に抑制することができる。従って、かかる保温性組織を具備するインナーウェアを着用した場合であっても、着用者にゴワゴワ感を与えず、また、当該インナーウェアの保温性組織がアウターウェアに響くことが防止される。
【００１４】
更に、保温性組織は可及的に薄く、着用者の肌への接触面積が狭いため、着用者は外気温が比較的高い季節であっても当該保温性組織を備えるインナーウェアを快適に着用することができる。
【００１５】
（２）また、本発明に係るインナーウェアは必要に応じて、前記各エアセルはハニカム構造状になしてあることを特徴とする。
【００１６】
本発明のインナーウェアにあっては、前記各エアセルはハニカム構造状になしてある。エアセルをハニカム構造状になした場合は、そうでない場合より構造上の強度が高いので、例えば洗濯に対する耐性も強く、洗濯を繰り返しても保温機能を含む前記各機能が損なわれ難い。
【００１７】
また、ハニカム構造状をなしたエアセルは構造的に強固であり、かかるエアセルを具備するインナーを着用した場合であっても、エアセルの構造が維持されるので、着用者の皮膚に刺激が与えられ、これによって皮膚に引き締め作用が働く。
【００１８】
（３）また、本発明に係るインナーウェアは必要に応じて、前記地編組織にはメッシュが形成してあることを特徴とする。
【００１９】
本発明のインナーウェアにあっては、前記地編組織にはメッシュが形成してある。地編組織にメッシュが形成してあるため、着用者の発汗による湿気がメッシュを通って地編組織の外方へ排出され、従って着用者が発汗した場合であっても蒸れが生じ難い。
【図面の簡単な説明】
【００２０】
【図１】本発明に係るインナーウェアの一例であるガードルを示す正面図である。
【図２】本発明に係るインナーウェアの一例であるガードルを示す背面図である。
【図３】図１に示した前部の裏面図である。
【図４】図３に示した保温性組織の部分拡大図である。
【図５】保温性組織を示す模式的一部編成組織図である。
【発明を実施するための形態】
【００２１】
図１及び図２は、本発明に係るインナーウェアの一例であるガードルを示す正面図及び背面図であり、図中、ＦはガードルＧの着用者の正面側に配置される前部、ＢはガードルＧの着用者の背面側に配置される後部である。また、図３は、図１に示した前部Ｆの裏面図である。
【００２２】
両図１及び図２に示したように、ガードルＧは、例えば丸編機を用いて編成してあり、所謂パンツ型になしてある。すなわち、ガードルＧは、着用者のウェスト部、下腹部及び臀部を囲繞するパンティ部１及び着用者の両太腿を各別に囲繞する大腿部２，２とを適宜の伸縮力を有する組織に編成して構成してある。
【００２３】
パンティ部１のウェスト開口部１０に臨む縁部には、パンティ部１の収縮力より強い収縮力を有するように編成してなる帯状のウェスト口ゴム部１１が、前記ウェスト開口部１０を囲繞するように設けてあり、該ウェスト口ゴム部１１によって、着用者に着用されたガードルＧのパンティ部１の縁部がずれないようになしてある。
【００２４】
一方、ガードルＧの大腿部２，２の縁にはそれぞれ、着用者の脚部を通す脚刳り部２０,２０が設けてある。これら脚刳り部２０,２０には、大腿部２，２の収縮力以上の収縮力を有するように編成してなる帯状の脚口ゴム部２１,２１が、脚刳り部２０,２０の全周に亘って設けてあり、両脚口ゴム部２１,２１によって、着用者に着用されたガードルＧの大腿部２，２にずれ及び捲り上がり等が生じることが防止されている。
【００２５】
パンティ部１の前側であって着用者の下腹部の中央領域に対向する部分には、他の部分より強い伸縮性を持たせた腹部矯正部１２が設けてあり、該腹部矯正部１２によって着用者の主に下腹部の出っ張りが抑制されるようになっている。
【００２６】
また、パンティ部１の両側部からパンティ部１の後側であって、着用者の臀部の略中央領域を除く部分に亘って、パンティ部１の他の部分より強い伸縮性を持たせたヒップ部矯正部１４が設けてあり、該ヒップ部矯正部１４によって着用者のヒップ部の外径をより小さくするようになしてある。
【００２７】
このヒップ部矯正部１４内には、ヒップ部矯正部１４の他の部分より強い伸縮性を持たせてなる三日月形状のヒップアップ部１５が着用者の臀部の下縁に倣って設けてあり、該ヒップアップ部１５によって着用者の臀部が持ち上げられるようになっている。
【００２８】
また、パンティ部１の後側の略中央領域には、横方向へ延設してなる複数の波形線状部１６，１６，…が縦方向へ適宜の間隔で設けてある。波形線状部１６，１６，…はフロート編によって編成されており、これによって波形線状部１６，１６，…の裏面には複数の波形状凸部が形成されている。
【００２９】
かかる波形線状部１６，１６，…の裏面に形成された複数の波形状凸部によって、着用者の臀部にマッサージ効果が与えられるようになっている。
【００３０】
ところで、本発明に係るガードルＧにあっては、両大腿部２，２及びパンティ部１の一部分を、高い保温性を発揮する保温性組織２２，２２，…で構成してある。
【００３１】
この保温性組織２２は、図３及び図３に示した保温性組織２２の部分拡大図である図４に示した如く、一重の地編組織２３の裏面側に突出させた畝部２４,２４，…にて六角形状に囲んでなる複数のエアセル２５,２５，…をハニカム構造状に設けて構成しており、各エアセル２５,２５，…内には周囲の気体が蓄えられるようになっている。
【００３２】
これによって、地編組織２３の表面側には図１及び図２に示した如く、六角形のハニカム構造上の模様が形成されている。
【００３３】
エアセル２５，２５，…を構成する畝部２４，２４，…は地編組織２３の裏面、即ち着用者の肌に接する面側に形成されており、各エアセル２５,２５，…内に蓄えられた空気の層によって外界からの熱の伝導が抑制される一方、各エアセル２５,２５，…内の空気が着用者から放出される熱を蓄えるため、高い保温効果を奏する。
【００３４】
一方、保温性組織２２の大部分の領域は一重に編成された地編組織２３によって構成されているため、保温性組織２２の厚さ寸法の増大を可及的に抑制することができる。従って、かかる保温性組織２２を具備するガードルＧをインナーとして着用した場合であっても、着用者にゴワゴワ感を与えず、当該ガードルＧの保温性組織２２がアウターウェアに響くことが防止される。
【００３５】
図５は前述した保温性組織２２を示す模式的一部編成組織図であり、図中、実線Ｓで囲まれた領域が保温性組織２２の基本単位である。
【００３６】
図５に示した如く、基本単位の保温性組織２２は、地編組織２３中に畝部２４,２４，…が相互に交差するように配置してある。なお、図中、Ｃは編成組織のコースを示しており、Ｗは編成組織のウェールを示している。
【００３７】
畝部２４,２４，…は、当該畝部２４,２４，…の幅寸法に応じたコース数をフロートさせるようにフロート編したウェールＷＦと、畝部２４,２４，…の幅寸法を漸次平編したウェールＷＰとを交互に編み立てて形成してあり、フロート編したウェールＷＦによって当該フロート編に係る各コースＣ，Ｃ，…が束ねられるのに伴って、フロート編したウェールＷＦに相隣る平編したウェールＷＰの対応する部分が密集して盛り上がり、図４に示した如く地編組織２３から突出した畝部２４,２４，…が形成される。
【００３８】
かかる保温性組織２２では、着用者の肌に接触する部分は主に、裏面に突出した畝部２４,２４，…であるので、着用者の肌への接触面積が狭く、従って着用者が発汗した場合であっても、着用者にサラサラ感を与える。
【００３９】
一方、保温性組織２２の畝部２４,２４，…以外の領域を構成する地編組織２３，２３，…は、各ウェールＷ，Ｗ，…に適宜の間隔で２コース程度をフロートさせるフロート編を施してあり、これによってメッシュＭ，Ｍ，…が形成されている。
【００４０】
このように、地編組織２３，２３，…にメッシュＭ，Ｍ，…が形成してあるため、着用者の発汗による湿気がメッシュＭ，Ｍ，…を通って地編組織２３，２３，…の外方へ排出され、従って着用者が発汗した場合であっても蒸れが生じ難い。
【００４１】
ここで、保温性組織２２の編成に使用する糸としては、例えば図５中に白抜き矢符で示した如きフロート編に係るコースには伸縮性を有するフィラメント・ツイステッド・ヤーン（ＦＴＹ）を用い、それ以外のコースにあっては、ナイロン糸及び綿糸の２本を用いており、後者の場合、保温性組織２２の表側にナイロン糸が、保温性組織２２の裏側に綿糸が配置されるように編み立ててある。
【００４２】
このようにフロート編に係るコースには伸縮性を有する糸を用いているため、着用時の伸縮によっても保温性組織２２に切断が発生し難く、また、保温性組織２２の裏側に綿糸が配置してあるため、着用者の肌触りが良い。
【００４３】
このような保温性組織２２を具備するガードルＧにあっては、前述したようにエアセル２５，２５，…によって優れた保温性が奏されるため、外気温が低い季節において着用者を寒さから保護することができる一方、保温性組織２２は生地が薄く、エアセル２５，２５，…内の湿気を排出することができ、更に接触面積が狭いため、外気温が比較的高い季節であっても着用者はガードルＧを快適に着用することができる上に、薄手のアウターウェアを着用した場合であっても当該ガードルＧがアウターウェアに響くことが抑制される。
【００４４】
ところで、地編組織２３，２３，…は前述したフロート編代えてタック編になすこともできる。このようにタック編になした場合、フロート編になしたときよりメッシュＭ，Ｍ，…の孔径が大きくなるため、着用者の発汗による湿気をより排出することができる。
【００４５】
また、地編組織２３，２３，…はフロート編み代えて平編になすこともできる。このように平編になした場合、フロート編になしたときよりエアセル２５，２５，…による保温性を向上させることができる。かかる地編組織２３，２３，…になした保温性組織２２を具備するガードルＧにあっては、エアセル２５，２５，…による保温性がより高いため、外気温がより低い地域で使用することができる。また、そのような地域にあっては、外気湿度が比較的低い地域において外気温が高い季節であっても外気湿度が比較的低いので、エアセル２５，２５，…の保温性がより高い場合であっても好適に使用することができる。
【００４６】
一方、ハニカム構造状をなしたエアセル２５，２５，…は構造的に強固であり、かかるエアセル２５，２５，…を具備するガードルＧを着用した場合であっても、エアセル２５，２５，…の構造が維持されるので、着用者の皮膚に刺激が与えられ、これによって皮膚に引き締め作用が働く。また、エアセル２５，２５，…はガードルＧの太腿部の全周に亘って略均一に設けてあるため、ガードルＧを着用した場合、各エアセル２５，２５，…がバランス良く相互に引き合い、着用者の太腿部をバランス良く引き締めることができる。
【００４７】
更に、六角形状のエアセル２５，２５，…にあっては印加された負荷を効率的に分散させることができるため、着用者の皮膚に食い込むことが防止され、着用者に快適な着用感を持続的に与えることができる。
【００４８】
なお、本実施の形態ではエアセル２５，２５，…を六角形状になした場合について説明したが、本発明はこれに限らず、エアセル２５，２５，…を丸形又は多角形等の定型の環状形、或いは不定型の環状形になしてよい。ただし、エアセル２５，２５，…を六角形状になした場合は、他の形状になした場合より構造上の強度が高いので好適である。
【００４９】
また、本実施の形態ではエアセル２５，２５，…をハニカム構造状になした場合について説明したが、本発明はこれに限らず、エアセル２５，２５，…を互いに適宜の距離を隔てて設けてもよい。
【００５０】
ただし、エアセル２５，２５，…をハニカム構造状になした場合は、そうでない場合より構造上の強度が高いので、例えば洗濯に対する耐性も強く、洗濯を繰り返しても保温機能を含む前述した各機能が損なわれ難い。
【００５１】
なお、本実施の形態ではガードルＧに適用した場合について説明したが、本発明はこれに限らず、ボディスーツ及びスパッツ等の他のインナーウェアにも適用し得ることは言うまでもない。
【符号の説明】
【００５２】
１    パンティ部
２    大腿部
２２    保温性組織
２３    地編組織
２４    畝部
２５    エアセル
Ｇ    ガードル
Ｗ    ウェール
Ｃ    コース
Ｍ    メッシュ
【図１】
2010265568.tif 000003
【図２】
2010265568.tif 000004
【図３】
2010265568.tif 000005
【図４】
2010265568.tif 000006
【図５】
2010265568.tif 000007